(57)【要約】【課題】安全性に優れ、かつ、洗髪時において枕と頭髪にかけられる水との温度差に起因する不快感を抑制する技術を提供する。【解決手段】外装部３と流水部５とを備え、流水部５は送水流路部４０と、送水流路部４０から第１分岐部４３および第２分岐部４５において分岐して水を迂回させるバイパス流路部５５とを有する枕１である。さらに、バイパス流路部５５は、バイパス流路部５５内を流れる水と頭載面１１との間での熱交換をさせるよう頭載面１１の裏側に設けられている。第１弁５１は、バイパス流路部５５内に水を通過させる場合と、バイパス流路部５５内に水を通過させる場合とに切り替える動作をする。【選択図】図２
2015033438.tif 000002
【特許請求の範囲】
【請求項１】
頭部を載せるための頭載面を有する外装部と、
水を流入させる入水口と前記水を流出させるための出水口とを有して前記水を通過させるとともに、前記外装部の内部に少なくとも一部が設けられている流水部と、を備え、
前記流水部は、前記入水口と前記出水口とを繋ぐ送水流路部と、前記送水流路部から第１分岐部および第２分岐部において分岐して前記水を迂回させるバイパス流路部とを有し、
前記バイパス流路部は、前記水と前記頭載面との間での熱交換をさせるように前記頭載面の裏側に設けられ、
前記第１分岐部は、前記第２分岐部よりも上流に設けられて、第１弁を有し、
前記第１弁は、前記送水流路部と前記バイパス流路部との間の前記水の流通を遮断する場合と、前記送水流路部と前記バイパス流路部との間の前記水の流通を許容する場合とに切り替える動作をする枕。
【請求項２】
前記バイパス流路部の表面から前記頭載面までの比熱容量が、前記送水流路部の表面から前記頭載面までの比熱容量よりも小となるように前記送水流路部および前記バイパス流路部が配置されている請求項１に記載の枕。
【請求項３】
水を流入させる入水口と前記水を流出させるための出水口とを有して前記水を通過させる流水部を備え、
前記流水部は、前記入水口と前記出水口とを繋ぐ送水流路部と、前記送水流路部から第１分岐部および第２分岐部において分岐して前記水を迂回させるバイパス流路部とを有し、
前記バイパス流路部の少なくとも一部は、頭部を載せるための頭載面の一部または全部を構成し、
前記第１分岐部は、前記第２分岐部よりも上流に設けられて、第１弁を有し、
前記第１弁は、前記送水流路部と前記バイパス流路部との間の前記水の流通を遮断する場合と、前記送水流路部と前記バイパス流路部との間の前記水の流通を許容する場合とに切り替える動作をする枕。
【請求項４】
前記第１弁は、前記水の温度が温度Ｔ１以下の場合に前記送水流路部と前記バイパス流路部との間の前記水の流通を遮断し、かつ、前記水の温度が前記温度Ｔ１超の場合に前記送水流路部と前記バイパス流路部との間の前記水の流通を許容する請求項１〜３のいずれか１項に記載の枕。
【請求項５】
前記第１弁は、温度Ｔ１以上の時に予め定められた形状に回復する第１温度感受性変形部材と、第１遮蔽用弾性体と、前記第１温度感受性変形部材および前記第１遮蔽用弾性体に接続して前記バイパス流路部を閉栓する第１蓋部とを有し、
前記水の温度が前記温度Ｔ１以下の場合には、前記第１遮蔽用弾性体が、復元力による力を前記第１蓋部に与えて前記第１蓋部を前記バイパス流路部を閉栓する状態で固定保持するとともに前記第１温度感受性変形部材を変形状態とし、
前記水の温度が前記温度Ｔ１超の場合には、前記第１温度感受性変形部材が予め定められた形状に回復することによって前記第１蓋部に対して前記第１遮蔽用弾性体の前記復元力に抗する力を与えることにより、前記第１温度感受性変形部材が前記第１蓋部を前記バイパス流路部を開放する状態にて保持する請求項４に記載の枕。
【請求項６】
前記第１弁は、温度Ｔ１以下の時に予め定められた形状に回復する第１温度感受性蓋部を有し、
前記水の温度が前記温度Ｔ１以下の場合には、前記第１温度感受性蓋部が予め定められた形状に回復して前記バイパス流路部を閉栓し、
前記水の温度が前記温度Ｔ１超の場合には、前記第１温度感受性蓋部が前記水の水圧により変形してバイパス流路部を開放する状態となる請求項４に記載の枕。
【請求項７】
前記第２分岐部は、第２弁を有し、
前記第２弁は、前記送水流路部と前記バイパス流路部との間の前記水の流通を遮断する場合と、前記送水流路部と前記バイパス流路部との間の前記水の流通を許容する場合とに切り替える動作をする請求項１〜６のいずれか１項に記載の枕。
【請求項８】
前記第２弁は、前記バイパス流路部内を前記水が流入しない場合に前記送水流路部と前記バイパス流路部との間の前記水の流通を遮断し、かつ、前記バイパス流路部内を前記水が流入する場合に前記送水流路部と前記バイパス流路部との間の前記水の流通を許容する請求項７に記載の枕。
【請求項９】
前記第２弁は、前記水の温度が温度Ｔ２以下の場合に前記送水流路部と前記バイパス流路部との間の前記水の流通を遮断し、かつ、前記水の温度が前記温度Ｔ２超の場合に前記送水流路部と前記バイパス流路部との間の前記水の流通を許容する請求項７に記載の枕。
【請求項１０】
前記第２弁は、温度Ｔ２超の時に予め定められた形状に回復する第２温度感受性変形部材と、第２遮蔽用弾性体と、前記第２温度感受性変形部材および前記第２遮蔽用弾性体に接続して前記バイパス流路部を閉栓する第２蓋部とを有し、
前記水の温度が前記温度Ｔ２以下の場合には、前記第２遮蔽用弾性体が、復元力による力を前記第２蓋部に与えて前記第２蓋部を前記バイパス流路部を閉栓する状態で固定保持するとともに前記第２温度感受性変形部材を変形状態とし、
前記水の温度が前記温度Ｔ２超の場合には、前記第２温度感受性変形部材が予め定められた形状に回復することによって前記第２蓋部に対して前記第２遮蔽用弾性体の前記復元力に抗する力を与えることにより、前記第２温度感受性変形部材が前記第２蓋部を前記バイパス流路部を開放する状態にて保持する請求項９に記載の枕。
【請求項１１】
前記第２弁は、温度Ｔ２以下の時に予め定められた形状に回復する第２温度感受性蓋部を有し、
前記水の温度が前記温度Ｔ２以下の場合には、前記第２温度感受性蓋部が予め定められた形状に回復して前記バイパス流路部を閉栓し、
前記水の温度が前記温度Ｔ２超の場合には、前記第２温度感受性蓋部が前記水の水圧により変形してバイパス流路部を開放する状態となる請求項９に記載の枕。
【請求項１２】
請求項１〜１１のいずれか１項に記載の枕と、
前記水の温度を所望の温度に調節しつつ前記入水口に接続して前記入水口に前記水を給水する給水部と、
前記出水口に接続して前記流水部を通過した前記水を排出する管形状の排水部と、を備える給水装置。
【請求項１３】
前記排水部は、前記出水口とは反対側の前記水を排出する端部にシャワーノズルを有する請求項１２に記載の給水装置。
【請求項１４】
前記排出部から排出された前記水を受ける受水槽をさらに備える請求項１２または１３に記載の給水装置。
【請求項１５】
前記枕は、該枕を前記受水槽の縁部に固定支持させるための取付部材を有する請求項１４に記載の給水装置。
【請求項１６】
前記受水槽がシャンプー台である請求項１４または１５に記載の給水装置。
【発明の詳細な説明】
【技術分野】
【０００１】
本発明は、枕およびこれを用いる給水装置に関する。
【背景技術】
【０００２】
理容室や美容室などで洗髪をするとき、シャンプー台（シャンプーボール）の縁部に枕を置いて、この枕の上に頭部を固定支持することがある。シャンプー台で洗髪する際には、通常、洗髪されている人自身で体勢を律することが困難であるため、頭部から枕に大きな荷重を加えつつ体勢を支えることになる。そのため、シャンプー台での洗髪時には、枕から頭部に大きな圧迫感を与えてしまう。
【０００３】
そこで、シャンプー台で使用する枕に関しては、頭部への圧迫感を緩和するために、クッション材を設けたものや、空気袋から構成されたものなどの改良技術が提案されている（例えば、特許文献１、２）。
【先行技術文献】
【特許文献】
【０００４】
【特許文献１】特開２００７−１５９６７３号公報
【特許文献１】特開２００９−２７３８２６号公報
【発明の概要】
【発明が解決しようとする課題】
【０００５】
ところが、上述の改良技術の枕によれば、頭部への圧迫感は緩和されるものの、頭部に冷たさを与えてしまうことがある。特に、頭部に冷たさを与えながら、湯水で頭髪を洗髪すると、頭部には冷たい感覚と暖かい感覚とが入り交じることになり、不快感が生じてしまう。もっとも、枕の内部に電熱ヒータなどを内蔵させる工夫が考えられるが、こうした工夫では洗髪という水を扱う場所であるために感電などの危険を伴うおそれがある。
【０００６】
上記の問題に鑑みて、本発明の目的は、安全性に優れ、かつ、洗髪時において枕と頭髪にかけられる水との温度差に起因する不快感を抑制する技術を提供することにある。
【課題を解決するための手段】
【０００７】
本発明は、以下に示す枕およびこれを用いる給水装置である。
【０００８】
［１］  頭部を載せるための頭載面を有する外装部と、水を流入させる入水口と前記水を流出させるための出水口とを有して前記水を通過させるとともに、前記外装部の内部に少なくとも一部が設けられている流水部と、を備え、前記流水部は、前記入水口と前記出水口とを繋ぐ送水流路部と、前記送水流路部から第１分岐部および第２分岐部において分岐して前記水を迂回させるバイパス流路部とを有し、前記バイパス流路部は、前記水と前記頭載面との間での熱交換をさせるように前記頭載面の裏側に設けられ、前記第１分岐部は、前記第２分岐部よりも上流に設けられて、第１弁を有し、前記第１弁は、前記送水流路部と前記バイパス流路部との間の前記水の流通を遮断する場合と、前記送水流路部と前記バイパス流路部との間の前記水の流通を許容する場合とに切り替える動作をする枕。
【０００９】
［２］  前記バイパス流路部の表面から前記頭載面までの比熱容量が、前記送水流路部の表面から前記頭載面までの比熱容量よりも小となるように前記送水流路部および前記バイパス流路部が配置されている前記［１］に記載の枕。
【００１０】
［３］  水を流入させる入水口と前記水を流出させるための出水口とを有して前記水を通過させる流水部を備え、前記流水部は、前記入水口と前記出水口とを繋ぐ送水流路部と、前記送水流路部から第１分岐部および第２分岐部において分岐して前記水を迂回させるバイパス流路部とを有し、前記バイパス流路部の少なくとも一部は、頭部を載せるための頭載面の一部または全部を構成し、前記第１分岐部は、前記第２分岐部よりも上流に設けられて、第１弁を有し、前記第１弁は、前記送水流路部と前記バイパス流路部との間の前記水の流通を遮断する場合と、前記送水流路部と前記バイパス流路部との間の前記水の流通を許容する場合とに切り替える動作をする枕。
【００１１】
［４］  前記第１弁は、前記水の温度が温度Ｔ１以下の場合に前記送水流路部と前記バイパス流路部との間の前記水の流通を遮断し、かつ、前記水の温度が前記温度Ｔ１超の場合に前記送水流路部と前記バイパス流路部との間の前記水の流通を許容する前記［１］〜［３］のいずれかに記載の枕。
【００１２】
［５］  前記第１弁は、温度Ｔ１超の時に予め定められた形状に回復する第１温度感受性変形部材と、第１遮蔽用弾性体と、前記第１温度感受性変形部材および前記第１遮蔽用弾性体に接続して前記バイパス流路部を閉栓する第１蓋部とを有し、前記水の温度が前記温度Ｔ１以下の場合には、前記第１遮蔽用弾性体が、復元力による力を前記第１蓋部に与えて前記第１蓋部を前記バイパス流路部を閉栓する状態で固定保持するとともに前記第１温度感受性変形部材を変形状態とし、前記水の温度が前記温度Ｔ１超の場合には、前記第１温度感受性変形部材が予め定められた形状に回復することによって前記第１蓋部に対して前記第１遮蔽用弾性体の前記復元力に抗する力を与えることにより、前記第１温度感受性変形部材が前記第１蓋部を前記バイパス流路部を開放する状態にて保持する前記［４］に記載の枕。
【００１３】
［６］  前記第１弁は、温度Ｔ１以下の時に予め定められた形状に回復する第１温度感受性蓋部を有し、前記水の温度が前記温度Ｔ１以下の場合には、前記第１温度感受性蓋部が予め定められた形状に回復して前記バイパス流路部を閉栓し、前記水の温度が前記温度Ｔ１超の場合には、前記第１温度感受性蓋部が前記水の水圧により変形してバイパス流路部を開放する状態となる前記［４］に記載の枕。
【００１４】
［７］  前記第２分岐部は、第２弁を有し、前記第２弁は、前記送水流路部と前記バイパス流路部との間の前記水の流通を遮断する場合と、前記送水流路部と前記バイパス流路部との間の前記水の流通を許容する場合とに切り替える動作をする前記［１］〜［６］のいずれかに記載の枕。
【００１５】
［８］  前記第２弁は、前記バイパス流路部内を前記水が流入しない場合に前記送水流路部と前記バイパス流路部との間の前記水の流通を遮断し、かつ、前記バイパス流路部内を前記水が流入する場合に前記送水流路部と前記バイパス流路部との間の前記水の流通を許容する前記［７］に記載の枕。
【００１６】
［９］  前記第２弁は、前記水の温度が温度Ｔ２以下の場合に前記送水流路部と前記バイパス流路部との間の前記水の流通を遮断し、かつ、前記水の温度が前記温度Ｔ２超の場合に前記送水流路部と前記バイパス流路部との間の前記水の流通を許容する前記［７］に記載の枕。
【００１７】
［１０］  前記第２弁は、温度Ｔ２超の時に予め定められた形状に回復する第２温度感受性変形部材と、第２遮蔽用弾性体と、前記第２温度感受性変形部材および前記第２遮蔽用弾性体に接続して前記バイパス流路部を閉栓する第２蓋部とを有し、前記水の温度が前記温度Ｔ２以下の場合には、前記第２遮蔽用弾性体が、復元力による力を前記第２蓋部に与えて前記第２蓋部を前記バイパス流路部を閉栓する状態で固定保持するとともに前記第２温度感受性変形部材を変形状態とし、前記水の温度が前記温度Ｔ２超の場合には、前記第２温度感受性変形部材が予め定められた形状に回復することによって前記第２蓋部に対して前記第２遮蔽用弾性体の前記復元力に抗する力を与えることにより、前記第２温度感受性変形部材が前記第２蓋部を前記バイパス流路部を開放する状態にて保持する前記［９］に記載の枕。
【００１８】
［１１］  前記第２弁は、温度Ｔ２以下の時に予め定められた形状に回復する第２温度感受性蓋部を有し、前記水の温度が前記温度Ｔ２以下の場合には、前記第２温度感受性蓋部が予め定められた形状に回復して前記バイパス流路部を閉栓し、前記水の温度が前記温度Ｔ２超の場合には、前記第２温度感受性蓋部が前記水の水圧により変形してバイパス流路部を開放する状態となる前記［９］に記載の枕。
【００１９】
［１２］  前記［１］〜［１１］のいずれかに記載の枕と、前記水の温度を所望の温度に調節しつつ前記入水口に接続して前記入水口に前記水を給水する給水部と、前記出水口に接続して前記流水部を通過した前記水を排出する管形状の排水部と、を備える給水装置。
【００２０】
［１３］  前記排水部は、前記出水口とは反対側の前記水を排出する端部にシャワーノズルを有する前記［１２］に記載の給水装置。
【００２１】
［１４］  前記排出部から排出された前記水を受ける受水槽をさらに備える前記［１２］または［１３］に記載の給水装置。
【００２２】
［１５］  前記枕は、該枕を前記受水槽の縁部に固定支持させるための取付部材を有する前記［１４］に記載の給水装置。
【００２３】
［１６］  前記受水槽がシャンプー台である前記［１４］または［１５］に記載の給水装置。
【発明の効果】
【００２４】
本発明の枕によれば、水が温かい場合に限りバイパス流路部に水を通過させ、当該バイパス流路部を通過する水と頭載面との間で熱交換を行わせることが可能である。そのため、本発明の枕によれば、水が冷たい場合に不意に頭部を冷やしてしまうことを抑制することが可能である。
【００２５】
また、本発明の給水装置によれば、水が冷たい場合に不意に頭部を冷やしてしまうことを抑制することが可能であるので、シャンプー台として使用する場合には、シャンプー時に不快感を抑制することが可能になる。
【図面の簡単な説明】
【００２６】
【図１】本発明の枕の一実施形態の模式図である。
【図２】図１中のＡ−Ａ’断面において冷水が流れている場合を示した模式図である。
【図３】図１中のＡ−Ａ’断面において温水が流れている場合を示した模式図である。
【図４】本発明の枕の他の実施形態において冷水が流れている場合を示した模式的な断面図である。
【図５】図４に示されている枕において温水が流れている場合を示した模式的な断面図である。
【図６】本発明の枕の更に他の実施形態において冷水が流れている場合を示した模式的な断面図である。
【図７】図６に示されている枕において温水が流れている場合を示した模式的な断面図である。
【図８】本発明の枕の更に他の実施形態を構成する第１弁において冷水が流れている場合を示した模式的な断面図である。
【図９】図８に示されている第１弁において温水が流れている場合を示した模式的な断面図である。
【図１０】本発明の枕の更に他の実施形態を構成する第１弁において冷水が流れている場合を示した模式的な断面図である。
【図１１】図１０に示されている第１弁において温水が流れている場合を示した模式的な断面図である。
【図１２】本発明の枕の更に他の実施形態を示す模式図である。
【図１３】本発明の枕の更に他の実施形態を示す模式図である。
【図１４】図１３中のＢ−Ｂ’断面において冷水が流れている場合を示した模式図である。
【図１５】図１３中のＢ−Ｂ’断面において温水が流れている場合を示した模式図である。
【図１６】本発明の給湯装置の一実施形態の説明図である。
【図１７】本発明の一実施形態の給湯装置を用いるシャンプー台の模式図である。
【発明を実施するための形態】
【００２７】
以下、図面を参照しつつ本発明の実施の形態について説明する。本発明は、以下の実施形態に限定されるものではなく、本発明の範囲を逸脱しない限りにおいて、変更、修正、改良を加え得るものである。
【００２８】
１．枕の第１態様：
図１〜３に示されているように、本発明の第１態様の一実施形態に該当する枕１（１ａ）は、外装部３と、流水部５とを備える。外装部３は、頭部を載せるための頭載面１１を有する。流水部５は、水を流入させる入水口１３と水を流出させるための出水口１５とを有して水を通過させる。そして、流水部５は、外装部３の内部に少なくとも一部が設けられている。さらに、流水部５は、入水口１３と出水口１５とを繋ぐ送水流路部４０と、送水流路部４０から第１分岐部４３および第２分岐部４５において分岐して水を迂回させるバイパス流路部５５とを有する。バイパス流路部５５は、当該バイパス流路部５５内を流れる水と頭載面１１との間での熱交換をさせるように頭載面１１の裏側に設けられている。第１分岐部４３は、第２分岐部４５よりも上流に設けられて、第１弁５１を有する。第１弁５１は、送水流路部４０とバイパス流路部５５との間の水の流通を遮断する場合と、送水流路部４０とバイパス流路部５５との間の水の流通を許容する場合とに切り替える動作をする。第１弁５１が上述の切り替え動作をすることにより、例えば、温水が流れる場合にはバイパス流路部５５内に温水を流入させ、一方で、冷水が流れる場合にはバイパス流路部５５内を冷水が通過することを抑制するように、水の流れを調節することが可能なる。上述の例のように水の温度に応じて第１弁５１の切り替え動作をする場合には、流水部５内を流れる温水によって頭載面１１に載せた頭部を温め、その一方で、流水部５内を流れる冷水によって頭載面１１に載せた頭部を不意に冷やしてしまうことを回避することが可能である。
【００２９】
図１は、本発明の一実施形態の枕１（１ａ）の模式図である。図１では、外装部３の表シート１７の一部およびクッション部材１６の一部を切除し、その内側にある流水部５および断熱部材１８を露出させた状態で示している。図２は、図１中のＡ−Ａ’断面において冷水が流れている場合を示した模式図である。図３は、図１中のＡ−Ａ’断面において温水が流れている場合を示した模式図である。図２中および図３中に示されている白抜き矢印は、水の流れを表している（他の図面に示されている白抜き矢印についても同様とする）。
【００３０】
第１弁５１における上記の切り替えの動作は、手動であってもよいし、あるいは、次に述べるように、水の温度などに応じて第１弁５１が自動的に動作するものであってもよい。
【００３１】
第１弁５１は、図２中および図３中に示されている第１弁５１ａのように、水の温度が温度Ｔ１以下の場合に送水流路部４０とバイパス流路部５５との間の水の流通を遮断し、かつ、水の温度が温度Ｔ１超の場合に送水流路部４０とバイパス流路部５５との間の水の流通を許容することが好ましい（第１弁５１ａの動作の詳細については後述）。このように第１弁５１ａが水の温度に応じて切り替えの動作をすることにより、切り替えの動作が自動となり、手動操作の煩わしさが解消される。例えば、後述のように枕１ａをシャンプー台に使用する場合には、シャワーの作業時に第１弁５１ａの切り替えのために手を奪われるために、シャワーの作業を一時中断しなければならないという不都合を生じさせにくくなるという利点がある。
【００３２】
枕１ａでは、上述の温度Ｔ１については、温度Ｔ１以下の場合が冷水、温度Ｔ１超の場合が温水となるように設定されているとよい。具体的には、バイパス流路部５５内に温水を優先的に流すことによって頭載面１１に載せた頭に心地よい感覚を与えるという観点から、温度Ｔ１は、２０〜５０℃であることが好ましく、さらに、３０〜４５℃であることがより好ましく、特に、３５℃〜４２℃であることが最も好ましい。
【００３３】
このように温度Ｔ１が２０〜５０℃の範囲内にあるように設定すると、流水部５内を冷水（例えば、水温１５℃）が流れる場合には、図２に示されているように、第１分岐部４３において第１弁５１ａがバイパス流路部５５の入口を遮断する。そのため、冷水が流れる場合には、バイパス流路部５５内に冷水が流入することを防ぐことが可能である。こうした第１弁５１ａの状態に起因して、冷水が流れる場合には、バイパス流路部５５内を冷水が通過することを防止し、その結果、頭載面１１に載せた頭部を不意に冷やしてしまうことを回避することが可能である。
【００３４】
一方で、流水部５内を温水（例えば、水温４０℃）が流れる場合には、図３に示されているように、第１分岐部４３において第１弁５１ａがバイパス流路部５５の入口を開放する。そのため、温水が流れる場合には、バイパス流路部５５内に温水を流入させ、バイパス流路部５５内に温水を通過させることが可能になる。そして、バイパス流路部５５内を流れる温水と頭載面１１との間では、熱交換が行われる。この熱交換により、バイパス流路部５５内を流れる温水から、頭載面１１に熱が伝わり、次いで、頭載面１１から頭部へと熱が伝わる。そのため、温水が流れる場合には、頭載面１１に載せた頭部を温めることが可能である。ここで、温水がバイパス流路部５５内を通過する状態が継続すると、温水がバイパス流路部５５内に停滞する時と比べて、バイパス流路部５５内に順次流入してくる温水によって頭載面１１を持続的に暖めることが可能になる。
【００３５】
なお、本明細書にいう「温度Ｔ１が２０〜５０℃である」とは、第１弁５１ａがバイパス流路部５５の入口を開放し始める時の温度と、次いで再び第１弁５１ａがバイパス流路部５５の入口を遮断し始める時の温度とが異なっている場合も含まれるものとする。例えば、水温が５０℃の時に第１弁５１ａがバイパス流路部５５の入口を開放し、次いで、水温が３０℃にまで低下した時に第１弁５１ａがバイパス流路部５５の入口を遮断する、という動作をするケースも「温度Ｔ１が２０〜５０℃である」に該当することとする。
【００３６】
なお、枕１ａでは、使用前に温水でバイパス流路部５５内を予め満たしておくよい。このようにバイパス流路部５５内を温水で満たしておくと、流水部５内を冷水が流れている場合であっても、弁を設けられていない第２分岐部４５からバイパス流路部５５内に、冷水が流入しにくくなる。また、第２分岐部４５からバイパス流路部５５内に、冷水が流入してしまう場合でも、バイパス流路部５５内に流入してきた冷水とバイパス流路部５５内に予め満たされた温水とが混合することで、頭載面１１を急激に冷やしてしまうことを抑制することが可能になる。
【００３７】
図４は、本発明の他の実施形態の枕１（１ｂ）において冷水が流れている場合を示した模式的な断面図である。図５は、図４に示されている枕１ｂにおいて温水が流れている場合を示した模式的な断面図である。第２分岐部４５は、第２弁５３を有することが好ましい。第２弁５３は、送水流路部４０とバイパス流路部５５との間の水の流通を遮断する場合と、送水流路部４０とバイパス流路部５５との間の水の流通を許容する場合とに切り替える動作をする。第２弁５３が上述の切り替え動作をすることにより、例えば、第１分岐部４３からバイパス流路部５５内に水が流入している場合には送水流路部４０とバイパス流路部５５の出口（第２分岐部４５）との間の水の流通を許容し、一方で、第１分岐部４３からバイパス流路部５５内に水が流入していない場合には送水流路部４０とバイパス流路部５５の出口（第２分岐部４５）との間の水の流通を遮断するように、水の流れを調節することが可能になる。上述の例のように第２弁５３の切り替え動作をする場合には、第１分岐部４３からバイパス流路部５５内に水が流入していない場合に、第２分岐部４５からバイパス流路部５５内に水が逆流してしまうことを抑制することが可能になる。
【００３８】
第２弁５３は、図４および図５に示されている第２弁５３ａのように、第１分岐部４３からバイパス流路部５５内に水が流入しない場合に送水流路部４０とバイパス流路部５５との間の水の流通を遮断し、かつ、第１分岐部４３からバイパス流路部５５内に水が流入する場合に送水流路部４０とバイパス流路部５５との間の水の流通を許容することが好ましい。
【００３９】
流水部５内を冷水が流れる場合、図４に示されているように、上述の第１弁５１（第１弁５１ａ）の働きによって第１分岐部４３からバイパス流路部５５内に冷水が流入しないため、第２弁５３ａは送水流路部４０とバイパス流路部５５の出口との間の水の流通を遮断する。そのため、冷水が流れる場合には、第２分岐部４５からバイパス流路部５５内に冷水が流入することを防ぐことが可能である。一方で、流水部５内を温水が流れる場合、図５に示されているように、第１分岐部４３からバイパス流路部５５内に温水が流入するため、第２弁５３ａは送水流路部４０とバイパス流路部５５の出口との間の水の流通を許容する。その結果、温水が第１分岐部４３から第２分岐部４５にわたってバイパス流路部５５内を通過するようになる。このように、温水がバイパス流路部５５内を通過する状態が継続すると、温水がバイパス流路部５５内に停滞する時と比べて、バイパス流路部５５内に順次流入してくる温水によって頭載面１１を持続的に暖めることが可能になる。
【００４０】
さらに、枕１ｂでは、逆止弁６７が、送水流路部４０における第１分岐部４３の近傍下流に配置されている。逆止弁６７は、逆止弁６７にかかる水圧が高い場合には開放し、水圧が低い場合には閉鎖する。冷水が流れている場合には、第１弁５１（第１弁５１ａ）の働きにより、バイパス流路部５５内に冷水が流入せず、ほぼ全ての冷水が送水流路部４０内のみを通過する。そのため、逆止弁６７にかかる水圧は高い。したがって、冷水が流れている場合には、図４に示されているように、逆止弁６７が開放され、冷水が入水口１３から出水口１５まで送水流路部４０内を途切れることなく流れていく（バイパス流路部５５を経由して迂回することなく流れていく）。
【００４１】
その一方で、温水が流れている場合には、図５に示されているように、温水がバイパス流路部５５内に迂回して流入していく。そのため、温水が流れている場合には、温水がバイパス流路部５５内に迂回している分だけ、逆止弁６７にかかる水圧は低くなる。そのため、温水が流れている場合には、逆止弁６７が閉鎖する。その結果として、ほぼ全ての温水が第１分岐部４３からバイパス流路部５５内に流入するようになるので、バイパス流路部５５内を流れる温水によって頭載面１１に載せた頭部をより効率的に温めることが可能になる。
【００４２】
図６は、本発明の更に他の実施形態の枕１（１ｃ）において冷水が流れている場合を示した模式的な断面図である。図７は、図６に示されている枕１ｃにおいて温水が流れている場合を示した模式的な断面図である。図６および図７に示されているように、第２分岐部４５は、次に述べる第２弁５３ｂを有していても好ましい。第２弁５３ｂは、水の温度が温度Ｔ２以下の場合に送水流路部４０とバイパス流路部５５の出口との間の水の流通を遮断し、かつ、水の温度が温度Ｔ２超の場合に送水流路部４０とバイパス流路部５５の出口との間の水の流通を許容する。
【００４３】
枕１ｃでは、温度Ｔ２については、温度Ｔ２以下の場合が冷水、温度Ｔ２超の場合が温水となるように設定されているとよい。具体的には、バイパス流路部５５内に温水を優先的に流すことによって頭載面１１に載せた頭に心地よい感覚を与えるという観点から、温度Ｔ２は、２０〜５０℃であることが好ましく、さらに、３０〜４５℃であることがより好ましく、特に、３５℃〜４２℃であることが最も好ましい。
【００４４】
このように温度Ｔ２が２０〜５０℃の範囲内にあるように設定すると、流水部５内を冷水（例えば水温１５℃）が流れる場合には、図６に示されているように、第２分岐部４５においても第２弁５３ｂがバイパス流路部５５を遮断する。そのため、冷水が流れる場合には、第１分岐部４３および第２分岐部４５からバイパス流路部５５内に冷水が流入してしまうことを防ぐことが可能である。こうした第１弁５１および第２弁５３ｂの状態に起因して、冷水が流れる場合には、バイパス流路部５５内を冷水が通過することを防止し、その結果、頭載面１１に載せた頭部を不意に冷やしてしまうこと回避することが可能である。
【００４５】
一方で、流水部５内を温水（例えば水温４０℃）が流れる場合には、図７に示されているように、第２分岐部４５においても第２弁５３ｂがバイパス流路部５５の出口を開放する。そのため、温水が流れる場合には、バイパス流路部５５内に温水をスムーズに通過させることが可能になる。このように、温水がバイパス流路部５５内を通過する状態が継続すると、温水がバイパス流路部５５内に停滞する時と比べて、バイパス流路部５５内に順次流入してくる温水によって頭載面１１を持続的に暖めることが可能になる。
【００４６】
なお、本明細書にいう「温度Ｔ２が２０〜５０℃である」とは、第２弁５３ｂがバイパス流路部５５の出口を開放し始める時の温度と、次いで再び第２弁５３ｂがバイパス流路部５５の出口を遮断し始める時の温度とが異なっている場合も含まれるものとする。例えば、水温が５０℃の時に第２弁５３ｂがバイパス流路部５５の出口を開放し、次いで、水温が３０℃にまで低下した時に第２弁５３ｂがバイパス流路部５５の出口を遮断する、という動作をするケースも「温度Ｔ２が２０〜５０℃である」に該当することとする。
【００４７】
次に、枕１ａに用いる第１弁５１ａについて説明する。第１弁５１ａは、温度Ｔ１超の時に予め定められた形状に回復する第１温度感受性変形部材６０ａと、第１遮蔽用弾性体６３ａと、第１温度感受性変形部材６０ａおよび第１遮蔽用弾性体６３ａに接続してバイパス流路部５５を閉栓する第１蓋部６５ａとを有する。第１弁５１ａは、図２に示されているように、水の温度が温度Ｔ１以下の場合には、第１遮蔽用弾性体６３ａが、復元力による力を第１蓋部６５ａに与えて第１蓋部６５ａをバイパス流路部５５を閉栓する状態で固定保持するとともに第１温度感受性変形部材６０ａを変形状態とする。一方で、水の温度が温度Ｔ１超の場合には、図３に示されているように、第１温度感受性変形部材６０ａが予め定められた形状に回復することによって第１蓋部６５ａに対して第１遮蔽用弾性体６３ａの復元力に抗する力を与えることにより、第１温度感受性変形部材６０ａが第１蓋部６５ａをバイパス流路部５５を開放する状態にて保持する。
【００４８】
図２および図３に示されている第１弁５１ａについて詳しく述べると、まず、第１蓋部６５ａは、バイパス流路部５５の入口を塞ぐ役割を果たす。第１蓋部６５ａの幅は、バイパス流路部５５の内側の幅（バイパス流路部５５の断面が円形の場合には内径がこれに相当）よりも大きい。そのため、バイパス流路部５５の入口を覆う状態で第１蓋部６５ａを送水流路部４０の管壁に押し当てると、第１蓋部６５ａによってバイパス流路部５０の入口を、水の流入を妨げるように塞ぐことが可能である。ここで、第１蓋部６５ａによってバイパス流路部５５の入口を塞ぐ際には、第１遮蔽用弾性体６３ａの復元力による押す力によって、第１蓋部６５ａをバイパス流路部５５の管壁に押し当てる。第１遮蔽用弾性体６３ａは、送水流路部４０内に配置され、一方の端部が第１蓋部６５ａに接続し、他方の端部がバイパス流路部５５の入口に対向した部分の送水流路部４０の管壁に接続している。第１遮蔽用弾性体６３ａは、収縮させた状態で配置され、当該収縮に対する復元力により第１蓋部６５ａに押す力を与えている。
【００４９】
第１温度感受性変形部材６０ａは、温度Ｔ１超になると予め定められた形状に回復し、温度Ｔ１以下になると外力を受けた時に容易に変形することが可能な性質を備えた部材である。第１温度感受性変形部材６０ａは、バイパス流路部５５内に配置され、一方の端部が第１蓋部６５ａに、他方の端部が第１固定部材６１ａに接続されている。なお、第１蓋部６５ａでは、一方の表面に第１温度感受性変形部材６０ａの端部が接続し、反対側の表面に第１遮蔽用弾性体６３ａの端部が接続していることになる。
【００５０】
水の温度が温度Ｔ１以下の場合には、図２に示されているように、第１蓋部６５ａは、遮蔽用弾性体６３ａからの押す力によって送水流路部４０の管壁に押しつけられた状態となり、バイパス流路部５５の入口を閉塞する。それと同時に、第１温度感受性変形部材６０ａが、予め定められた形状からは変形した状態にある。
【００５１】
水の温度が温度Ｔ１超になると、上述したように、第１温度感受性変形部材６０ａが変形状態から予め定められた形状に回復する。ここでは、第１温度感受性変形部材６０ａは、温度Ｔ１超となると、コイル形状が伸びた状態の形状となるように予め定められている。そのため、図３に示されているように、第１温度感受性変形部材６０ａがコイル形状が伸びた状態の形状になることにより、第１温度感受性変形部材６０ａが第１蓋部６５ａを押し込み、バイパス流路部５５の入口を開放する。
【００５２】
そして、水の温度が再び温度Ｔ１以下になると、上述したように、第１温度感受性変形部材６０ａが外力を受けた時に容易に変形することが可能な状態になる。このとき、第１遮蔽用弾性体６３ａによって第１蓋部６５ａを押す力（第１遮蔽用弾性体６３ａの復元力）が働いているので、第１蓋部６５ａが送水流路部４０の管壁に押しつけられ、これとともに第１温度感受性変形部材６０ａがコイル形状を縮ませるように変形する。その結果、第１蓋部６５ａが再びバイパス流路部５５の入口を閉塞する。
【００５３】
第１温度感受性変形部材６０ａが水の温度を感知する態様は、第１蓋部６５ａを介した間接的な伝熱（水の熱が第１蓋部６５ａに伝わり、次いで、第１蓋部６５ａから第１温度感受性変形部材６０ａへの熱伝導によって熱が伝わること）、水から第１温度感受性変形部材６０ａへの直接的な伝熱、あるいは上記間接的な伝熱と直接的な伝熱の組み合わせなどでもよい。すなわち、水の温度に応じて第１温度感受性変形部材６０ａの形状変化が生じる限りにおいては特に制限はない。 
【００５４】
また、図示しないが、第１弁は、図２および図３に示されている第１温度感受性変形部材６０ａと第１遮蔽用弾性体６３ａの配置が入れ替わったものであってもよい。この場合には、第１温度感受性変形部材は、温度Ｔ１超となると、コイル形状が縮んだ状態の形状となるように予め定められていることになる（図３を参照）。そして、第１遮蔽用弾性体は、復元力による引っ張る力によって、第１蓋部をバイパス流路部の管壁に押し当てることになる。
【００５５】
また、図６，７に示されている第２弁５３ｂについては、第２温度感受性変形部材７０が第１温度感受性変形部材６０ａと、第２固定部材７１が第１固定部材６１と、第２遮蔽用弾性体７３が第１遮蔽用弾性体６３ａと、第２蓋部７５が第１蓋部６５ａとそれぞれ同様の動作をするものを用いるとよい。
【００５６】
図８は、本発明の枕の更に他の実施形態を構成する第１弁５１ｂにおいて冷水が流れている場合を示した模式的な断面図である。図９は、図８に示されている第１弁５１ｂにおいて温水が流れている場合を示した模式的な断面図である。図８および図９に示されているように、第１弁５１ｂは、第１温度感受性変形部材６０ｂと、第１遮蔽用弾性体６３ｂと、第１蓋部６５ｂとを有する。
【００５７】
第１蓋部６５ｂは、バイパス流路部５５の延びる方向（以下、「水流方向」）に対して斜めに交差する角度にてバイパス流路部５５を閉栓する。さらに、第１蓋部６５ｂは、水流方向の下流側の縁部にバイパス流路部５５の管壁と接合する接合部６６を有する。第１蓋部６５ｂは、当該接合部６６を支点として、水流方向の上流側および下流側に回転することができる。
【００５８】
第１温度感受性変形部材６０ｂおよび第１遮蔽用弾性体６３ｂのぞれぞれは、一方の端部を第１蓋部６５ｂの表面のうちで水流方向の下流側の表面に接続し、反対側の端部をバイパス流路部５５の管壁に接続している。
【００５９】
水の温度が温度Ｔ１以下の場合には、図８に示されているように、第１蓋部６５ｂは、第１遮蔽用弾性体６３ｂの復元力によって水流方向の下流側に引っ張られることにより、バイパス流路部５５の入口を閉栓する。
【００６０】
ここでは、第１温度感受性変形部材６０ｂは、温度Ｔ１超になると、コイル形状が伸びた状態の形状となるように予め定められている。水の温度が温度Ｔ１超の場合には、図９に示されているように、第１温度感受性変形部材６０ｂが予め定められた形状に回復するのに伴って、第１蓋部６５ｂを押し込む。その結果として、第１蓋部６５ｂは、接合部６６を支点として水流方向の上流側に回転し、バイパス流路部５５を開放する。そして、水の温度がＴ１以下になると、第１温度感受性変形部材６０ｂは、力を受けた時に容易に変形することが可能な状態になる。このとき、第１遮蔽用弾性体６３ｂは、復元力によって第１蓋部６５ｂを下流側に引っ張り込む。そのため、第１蓋部６５ｂが接合部６６を支点として水流方向の下流側に回転する。それと同時に、第１蓋部６５ｂの回転に伴って、第１温度感受性変形部材６０ｂが縮んだコイル形状となるように変形していく。その結果、第１蓋部６５ｂが再びバイパス流路部５５を閉栓する。
【００６１】
第１温度感受性変形部材６０ａ，６０ｂとしては、温度感受性の形状記憶合金からなるものを挙げることができる。温度感受性の形状記憶合金としては、例えば、チタン−ニッケル合金、ニッケル−クロム合金、インバー−ニッケル−クロム合金、および鉄−マンガン−ケイ素合金などを挙げることができる。
【００６２】
また、温度感受性変形部材６０ａ，６０ｂが予め定められた形状に回復し始める温度は、バイパス流路部５５内に温水を優先的に流すことによって頭載面１１に載せた頭に心地よい感覚を与えるという観点から、２０〜５０℃であることが好ましく、さらに、３０〜４５℃であることがより好ましく、特に、３５〜４２℃であることが最も好ましい。
【００６３】
図１０は、本発明の枕の更に他の実施形態を構成する第１弁５１ｃにおいて冷水が流れている場合を示した模式的な断面図である。図１１は、図１０に示されている第１弁５１ｃにおいて温水が流れている場合を示した模式的な断面図である。第１弁５１ｃは、第１温度感受性蓋部８１を有する。第１温度感受性蓋部８１は、第１温度感受性蓋部８１の縁の一部分をバイパス流路部５５の管壁に接合させることにより、バイパス流路部５５内に固定されている。
【００６４】
水の温度が温度Ｔ１以下の場合には、図１０に示されているように、第１温度感受性蓋部８１が予め定められた形状となってバイパス流路部５５を閉栓する。一方で、水の温度が温度Ｔ１超の場合には、第１温度感受性蓋部８１が外力を受けた時に容易に変形することが可能な状態になる。このとき、第１温度感受性蓋部８１は、バイパス流路部５５内に流れ込む水の水圧によって変形し、図１１に示されているようにバイパス流路部５５を開放する状態とする。そして、水の温度が温度Ｔ１以下になると、第１温度感受性蓋部８１が再びバイパス流路部５５を閉栓する状態に形状を復元して硬化する。
【００６５】
第１温度感受性蓋部８１としては、形状記憶樹脂からなるものを挙げることができる。形状記憶樹脂とは、温度Ｔ１以下の場合に所定の形状に回復し、温度Ｔ１超の場合に外力を受けると変形可能となる樹脂である。
【００６６】
枕１においては、バイパス流路部５５の表面から頭載面１１までの比熱容量が、送水流路部４０の表面から頭載面１１までの比熱容量よりも小となるように送水流路部４０およびバイパス流路部５５が配置されていることが好ましい。こうした比熱容量に関する態様を適用する場合、冷水が流れるときに送水流路部４０から頭載面１１に冷たさが伝わりにくくなる。
【００６７】
バイパス流路部５５の表面から頭載面１１までの比熱容量が送水流路部４０の表面から頭載面１１までの比熱容量よりも小となるようにする方法としては、例えば、図２などに示されているように、バイパス流路部５５と送水流路部４０との間に断熱部材１８を挟むことを挙げることができる。
【００６８】
以下、枕１における「その他の形態」について説明する。
【００６９】
頭載面１１は頭部を載せるための部位である。枕１では、外装部３は、略長方形の袋形状を有する。この外装部３は、例えば、同一形状の２枚の略長方形のシート（表シート１７および裏シート１９）を互いの長辺同士および短辺同士を重ね合わせ、両シートの辺同士を接合させることにより得ることが可能である。
【００７０】
バイパス流路部５５は、ヘアピン状に屈曲しながら、幾重にも外装部３の長辺方向（換言すると、表シート１７の長辺方向）または短辺方向（換言すると、表シート１７の短辺方向）に沿って延びるかたちで蛇行していることが好ましい（例えば、図１３中のバイパス流路部１５５の形状を参照）。このようにバイパス流路部５５が蛇行している場合、頭載面１１がバイパス流路部５５によって広範囲で裏打ちされた状態となる。その結果として、バイパス流路部５５の中を流れる水（温水）と頭載面１１との間での熱交換を良好に行うことができ、頭載面１１を速やかに加温することが可能になる。
【００７１】
また、枕１では、送水流路部４０およびバイパス流路部５５が可撓性を有するものであることが好ましい。送水流路部４０およびバイパス流路部５５が可撓性を有する場合には、枕１を撓ませながら角部などに固定することが可能になる。また、送水流路部４０およびバイパス流路部５５が可撓性を有する場合には、頭載面１１を撓ませた時にバイパス流路部５５も同時に撓ませて表シート１７とバイパス流路部５５との間で伝熱される距離を短い状態で維持させ、ひいては、バイパス流路部５５の中を流れる水と頭載面１１との間での熱交換効率を良好に保たせることが可能になる。
【００７２】
枕１では、図２などに示されているように、クッション部材１６によって、送水流路部４０およびバイパス流路部５５を包み込んでいてもよい。クッション部材１６により、枕１のクッション性が良好になる。
【００７３】
図１２は、本発明の更に他の実施形態の枕１（１ｄ）のを示す模式図である。枕１ｄでは、バイパス流路部５５が外装部３の内部に設けられ、送水流路部４０が外装部３の外部に設けられている。すなわち、枕１ｄでは、流水部５の全部ではなく一部が外装部３の内部に設けられている。さらに、枕１ｄでは、バイパス流路部５５が、枕１ａのような管形状ではなく、袋形状になっている。このように、バイパス流路部５５は、内部に水を通過させることが可能な限りにおいて、任意の形状とすることが可能である。また、送水流路部４０についても、内部に水を通過させることが可能な限りにおいて、任意の形状とすることが可能である。また、枕１ｄでは、取付部受水槽（シャンプー台）に固定し易くするように、取付部材２６を備えている。
【００７４】
また、流水部５（送水流路部４０およびバイパス流路部５５）は、外装部３やクッション部材１６や断熱部材１８から取り外すことが可能であることが好ましい。このように取り外しが可能である場合、流水部５（送水流路部４０およびバイパス流路部５５）の洗浄が容易となるので、枕１を清潔な状態で保ち易くなる。
【００７５】
２．枕の第２態様：
図１３〜図１５に示されているように、本発明の第２態様の一実施形態に該当する枕１０１は、水を流入させる入水口１３と水を流出させるための出水口１５とを有して水を通過させる流水部１０５を備えている。流水部１０５は、入水口１３と出水口１５と繋ぐ送水流路部４０と、送水流路部４０から第１分岐部４３および第２分岐部４５において分岐して水を迂回させるバイパス流路部１５５とを有する。そして、バイパス流路部１５５の少なくとも一部は、頭部を載せるための頭載面１１１の一部または全部を構成する。第１分岐部４３は、第２分岐部４５よりも上流に設けられて、第１弁５１を有する。さらに、第１弁５１は、送水流路部４０とバイパス流路部１５５との間の水の流通を遮断する場合と、送水流路部４０とバイパス流路部１５５との間の水の流通を許容する場合とに切り替える動作をする。第１弁５１が上述の切り替え動作をすることにより、例えば、温水が流れる場合にはバイパス流路部１５５内に温水を流入させ、一方で、冷水が流れる場合にはバイパス流路部１５５内を冷水が通過することを抑制するように、水の流れを調節することが可能なる。上述の例のように水の温度に応じて第１弁５１の切り替え動作をする場合には、温水によって頭載面１１１に載せた頭部を温め、その一方で、冷水によって頭載面１１１に載せた頭部を不意に冷やしてしまうことを回避することが可能である。
【００７６】
さらに、枕１０１では、バイパス流路部１５５の少なくとも一部は、頭部を載せるための頭載面１１１の一部または全部を構成するので、バイパス流路部１５５内を流れる水と頭載面１１１に載せられた頭との間で、伝熱を効率よく行わせることが可能になる。例えば、上述の枕１ａでは、バイパス流路部５５が表シート１７の裏側に配置されているので、バイパス流路部５５内の水と頭載面１１に載せられた頭との間での伝熱において、表シート１７に熱を奪われてしまうことがある。枕１０１では、バイパス流路部１５５の少なくとも一部は、頭部を載せるための頭載面１１１の一部または全部を構成するので、表シート１１７に熱を奪われてしまうことを抑えることができる。そして、表１１７シートに奪われずに済んだ熱を、バイパス流路部１５５内を流れる水と頭載面１１１に載せられた頭との間での伝熱に寄与させることが可能になる。
【００７７】
図１４に示されているように、バイパス流路部１５５の一部が表シート１１７の外側に露出することにより、頭載面１１１の一部を構成してもよい。
【００７８】
あるいは、図示されていないが、バイパス流路部１５５が完全に表シート１１７の外側に露出することにより、頭載面１１１の一部を構成してもよい。上記のようにバイパス流路部１５５が完全に表シート１１７の外側に露出する場合には、表シート１１７が断熱性のある材質からなることが好ましい。このように表シート１１７が断熱性のある材質からなる場合には、送水流路部４０の表面から頭載面１１までの比熱容量を大きくなるため、送水流路部４０に冷水が流れるときに送水流路部４０から頭載面１１１に冷たさが伝わりにくくなる。
【００７９】
バイパス流路部１５５は、図１３に示されているように、ヘアピン状に屈曲しながら、幾重にも外装部１０３の長辺方向（換言すると、表シート１１７の長辺方向）または短辺方向（換言すると、表シート１１７の短辺方向）に沿って延びるかたちで蛇行していることが好ましい。このようにバイパス流路部１５５が蛇行している場合、頭載面１１１を構成するバイパス流路部１５５の外表面積の合計が大きくなる。その結果として、温水がバイパス流路部１５５内を流れている場合に、頭載面１１１に載せた頭を効率よく加温することが可能になる。
【００８０】
なお、本発明の第２態様の一実施形態に該当する枕１０１においては、送水流路部４０、第１分岐部４３、第２分岐部４５、５１，第１弁５１（第１弁５１ａ）、クッション部材１６、断熱部材１８などについては、上述の第１態様で説明したものと略同様であるので、ここでは詳細な説明を省略する。枕１０１においては、第２弁５３や逆止弁６７を設けてもよい。さらに、枕１０１においては、第１弁５１および第２弁５３については、上述の第１態様と同様に様々な形態のものを適用することが可能である。
【００８１】
上述の本発明の第１態様および第２態様の枕は、次に述べる給水装置に用いることができる。
【００８２】
３．給水装置：
図１６は、本発明の給水装置の一実施形態の説明図である。図を参照し述べると、本実施形態の給水装置２０は、上述の枕１（上述の「本発明の枕」、例えば、上述の枕１ａ〜１ｄ）と、給水部２３と、排水部２５とを備える。
【００８３】
給水部２３は、枕１の入水口１３に接続して水を入水口１３に給水する役割を果たす。また、給水部２３は、水の温度を所望の温度に調節しつつ給水することが可能である。
【００８４】
排水部２５は、管形状を有し、枕１の出水口１５に接続することにより、枕１の流水部５を通過した水を排出する役割を果たす。さらに、図１６に示されているように、排水部２５は、出水口１５に接続する端部とは反対側の端部にシャワーノズル２７を有する。
【００８５】
図１６に示されているように、給水装置２０を用いると、枕１の頭載面１１によって頭部を固定しながら洗髪を行うことが可能である。特に、給水装置２０によれば、給水部２３から温水を給水する場合には、枕１の頭載面１１により頭部を温めながら温水で洗髪を行うことが可能である。そのため、給水装置２０によれば、頭部を不意に冷やしてしまいことによる不快感を抑制することが可能になる。
【００８６】
図１７は、本実施形態の給水装置２０のうちで受水槽３０を備えるものの模式図である。なお、図１７に示されている受水槽３０は、シャンプー台として使用可能である。受水槽３０は、排水部２５から排出された水を受ける役割を果たすことが可能である。
【００８７】
また、給水装置２０では、枕１は、枕１を受水槽３０の縁部に固定支持させるための取付部材２６を備えているとよい。給水装置２０において、枕１が取付部材２６を備えている場合には、枕１を受水槽３０の縁部に確実に固定することができ、ひいては、頭部を安定的に固定可能なる。
【００８８】
例えば、取付部材２６として吸盤を用い、当該吸盤を裏シート１９（表シート１７とは反対側にあるシート）の外側面に設置するとよい（図１２を参照）。
【産業上の利用可能性】
【００８９】
本発明は、理・美容室においてシャンプー台に設置して使用可能な枕およびこれを用いる給水装置として利用できる。
【符号の説明】
【００９０】
１，１ａ〜１ｄ：枕、
３：外装部、
５：流水部、
１１：頭載面、
１３：入水口、
１５：出水口、
１６：クッション部材、
１７：表シート、
１８：断熱部材、
１９：裏シート、
２０：給水装置、
２３：給水部、
２５：排水部、
２６：取付部材、
２７：シャワーノズル、
３０：受水槽（シャンプー台）、
４０：送水流路部、
４３：第１分岐部、
４５：第２分岐部、
５１，５１ａ〜５１ｃ：第１弁、
５３，５３ａ，５３ｂ：第２弁、
５５：バイパス流路部、
６０ａ，６０ｂ：第１温度感受性変形部材、
６１ａ：第１固定部材、
６３ａ，６３ｂ：第１遮蔽用弾性体、
６５ａ，６５ｂ：第１蓋部、
６６：接合部、
６７：逆止弁、
７０：第２温度感受性変形部材、
７１：第２固定部材、
７３：第２遮蔽用弾性体、
７５：第２蓋部、
８１：第１温度感受性蓋部、
１０１：枕、
１０３：外装部、
１０５：流水部、
１１１：頭載面、
１１７：表シート、
１５５：バイパス管。
【図１】
2015033438.tif 000003
【図２】
2015033438.tif 000004
【図３】
2015033438.tif 000005
【図４】
2015033438.tif 000006
【図５】
2015033438.tif 000007
【図６】
2015033438.tif 000008
【図７】
2015033438.tif 000009
【図８】
2015033438.tif 000010
【図９】
2015033438.tif 000011
【図１０】
2015033438.tif 000012
【図１１】
2015033438.tif 000013
【図１２】
2015033438.tif 000014
【図１３】
2015033438.tif 000015
【図１４】
2015033438.tif 000016
【図１５】
2015033438.tif 000017
【図１６】
2015033438.tif 000018
【図１７】
2015033438.tif 000019